(57)【要約】【課題】がたつきが生じ難い押し釦の取り付け構造を提供する。【解決手段】押し釦１と本体２と、を備える。押し釦１に押し部１２が設けられ、本体２に押され部２２が設けられ、押し釦１が本体２に近接する方向に所定以上の力で押されたときに押し釦１を本体２から離間させる付勢部３を複数備え、押し釦１の少なくとも中央以外の複数の部分を付勢部３でそれぞれ付勢する。【選択図】図１
2015095415.tif 000002
【特許請求の範囲】
【請求項１】
押し釦と、前記押し釦が可動となるように取り付けられる本体と、を備え、
前記押し釦の前記本体と対向する部分に押し部が設けられ、前記本体の前記押し部と対向する部分に押され部が設けられ、
前記押し釦が前記本体に近接する方向に所定以上の力で押されたときに前記押し釦を前記本体から離間する方向に付勢する付勢部を複数備え、前記押し釦の少なくとも中央以外の複数の部分を前記付勢部でそれぞれ付勢することを特徴とする押し釦の取り付け構造。
【請求項２】
前記付勢部は、長手方向における一端側が前記押し釦または前記本体の一方に固定され、他端側が前記押し釦または前記本体の他方を押す板ばねで構成されるものであって、少なくとも二つの前記付勢部の前記長手方向が非平行となることを特徴とする請求項１記載の押し釦の取り付け構造。
【請求項３】
前記本体は、前記押し釦と対向する部分に板部を有し、前記板部の前記板ばねが設けられる部分の周囲にこの周囲の一部を残して前記板部を貫通するスリットが形成され、このスリットで囲まれる部分が前記押し釦を押す前記板ばねが構成されることを特徴とする請求項２記載の押し釦の取り付け構造。
【請求項４】
前記押し釦は、前記本体と対向する部分に板部を有し、前記板部の前記板ばねが設けられる部分の周囲にこの周囲の一部を残して前記板部を貫通するスリットが形成され、このスリットで囲まれる部分が前記本体を押す前記板ばねが構成されることを特徴とする請求項２または３記載の押し釦の取り付け構造。
【発明の詳細な説明】
【技術分野】
【０００１】
本発明は、押し釦の取り付け構造に関するものである。
【背景技術】
【０００２】
従来、図５に示すように、押し釦１と本体２と、を備え、押し釦１が本体２に対して可動となるように取り付けられる押し釦の取り付け構造が知られている（例えば特許文献１参照）。
【０００３】
押し釦１には押し部１２が設けられ、本体２には押され部２２が設けられる。そしてさらに、押し釦１を本体２から離間する方向に付勢する付勢部３０が設けられる。付勢部３０は、押し釦１が本体２に近接する方向に所定以上の力で押されたときに押し部１２が押され部２２を押し、所定以上の力で押されないときに押し部１２が押され部２２を押さないようにするものである。
【先行技術文献】
【特許文献】
【０００４】
【特許文献１】特開２０００−１７３３８８号公報
【発明の概要】
【発明が解決しようとする課題】
【０００５】
ところで、上記従来例の押し釦の取り付け構造にあっては、押し釦１一つに対して付勢部３０が一つ設けられるものであった。このため、押し釦１の端部に、付勢部３０からの距離が長い部分が生じてしまい、この部分が押されても付勢部３０に抗して押し部１２が押され部２２を押すことなく、がたついてしまう、という問題があった。
【０００６】
本発明は上記従来の問題点に鑑みて発明したものであって、その目的とするところは、がたつきが生じ難い押し釦の取り付け構造を提供することにある。
【課題を解決するための手段】
【０００７】
上記課題を解決するために、本発明の押し釦の取り付け構造は、押し釦と、前記押し釦が可動となるように取り付けられる本体と、を備え、前記押し釦の前記本体と対向する部分に押し部が設けられ、前記本体の前記押し部と対向する部分に押され部が設けられ、前記押し釦が前記本体に近接する方向に所定以上の力で押されたときに前記押し釦を前記本体から離間する方向に付勢する付勢部を複数備え、前記押し釦の少なくとも中央以外の複数の部分を前記付勢部でそれぞれ付勢することを特徴とする。
【０００８】
また、前記付勢部は、長手方向における一端側が前記押し釦または前記本体の一方に固定され、他端側が前記押し釦または前記本体の他方を押す板ばねで構成されるものであって、少なくとも二つの前記付勢部の前記長手方向が非平行となることが好ましい。
【０００９】
また、前記本体は、前記押し釦と対向する部分に板部を有し、前記板部の前記板ばねが設けられる部分の周囲にこの周囲の一部を残して前記板部を貫通するスリットが形成され、このスリットで囲まれる部分が前記押し釦を押す前記板ばねが構成されることが好ましい。
【００１０】
また、前記押し釦は、前記本体と対向する部分に板部を有し、前記板部の前記板ばねが設けられる部分の周囲にこの周囲の一部を残して前記板部を貫通するスリットが形成され、このスリットで囲まれる部分が前記本体を押す前記板ばねが構成されることが好ましい。
【発明の効果】
【００１１】
本発明にあっては、付勢部が複数設けられているため、付勢部からの距離が長い部分が生じ難く、これにより押し釦１にがたつきが生じ難くなる。  
【図面の簡単な説明】
【００１２】
【図１】本発明の第一実施形態を示し、（ａ）は押し釦を除いた送信装置の正面図であり、（ｂ）は押し釦の背面側から見た斜視図である。
【図２】第一実施形態を示し、（ａ）は押し釦および本体を有する送信装置の正面図であり、（ｂ）は（ａ）のＡ−Ａ断面の斜視図である。
【図３】本発明の第二実施形態を示し、（ａ）は押し釦を背面側から見た斜視図であり、（ｂ）は板部を背面側から見た斜視図である。
【図４】第二実施形態における押し釦を示し、（ａ）は正面側から見た斜視図であり、（ｂ）は背面側からみた斜視図である。
【図５】従来例を示し、（ａ）は正面側から見た斜視図であり、（ｂ）は背面側からみた斜視図である。
【発明を実施するための形態】
【００１３】
本発明の押し釦の取り付け構造は、押し釦１と、押し釦１が可動となるように取り付けられる本体２と、を備える。押し釦１の本体２と対向する部分に押し部１２が設けられ、本体２の押し部１２と対向する部分に押され部２２が設けられる。押し釦１が本体２に近接する方向に所定以上の力で押されたとき押し釦１を本体２から離間する方向に付勢する付勢部３を複数備え、押し釦１の少なくとも中央以外の複数の部分を付勢部３でそれぞれ付勢することを特徴とする。
【００１４】
また、付勢部３は、長手方向における一端側が押し釦１または本体２の一方に固定され、他端側が押し釦１または本体２の他方を押す板ばね（４９または５）で構成されることが好ましい。この場合、少なくとも二つの付勢部３の前記長手方向が非平行となることが好ましい。
【００１５】
また、本体２は、押し釦１と対向する部分に板部を有し、前記板部の板ばね４９が設けられる部分の周囲にこの周囲の一部を残して前記板部を貫通するスリット４８が形成されることが好ましい。そして、このスリット４８で囲まれる部分が押し釦１を押す板ばね４９が構成されることが好ましい。これにより、前記板部にスリット４８が形成されるだけの簡単な構成で、板ばね４９が形成される。
【００１６】
また、押し釦１は、本体２と対向する部分に板部５０を有し、板部５０の板ばね５が設けられる部分の周囲にこの周囲の一部を残して板部５０を貫通するスリット５１が形成されることが好ましい。そして、このスリット５１で囲まれる部分が本体２を押す板ばね５が構成されることが好ましい。これにより、板部５０にスリット５１が形成されるだけの簡単な構成で、板ばね５が形成される。
【００１７】
以下、本発明の第一実施形態について図１および図２に基いて説明する。
【００１８】
押し釦の取り付け構造は、押し釦１と、押し釦１が可動となるように取り付けられる本体２と、を備えるものである。第一実施形態では、便器装置に、局部洗浄装置等の電気機器と、この電気機器を駆動する駆動部と、駆動部を制御する制御部と、駆動指令等の信号を受信して制御部に伝送する受信部とが設けられる。そして、この受信部に駆動指令等の信号を無線により送信する送信装置４（図１、図２参照）がトイレルームの壁面に設けられ、この送信装置４に、本発明の押し釦１の取り付け構造が設けられるものである。
【００１９】
なお、送信装置４は、壁面に設けられるものでなくてもよいし、また、無線ではなく有線により送信するものでもよい。また、本発明の押し釦１の取り付け構造は、第一実施形態のような便器装置の送信装置４のみならず、他の機器の送信装置や、送信装置以外の装置にも適用可能であり、特に限定されない。
【００２０】
第一実施形態では、押し釦１は、図２（ａ）に示すように、正面視における外郭形状が矩形状をした部材を備えるものであるが、正面視における外郭形状は特に限定されない。
【００２１】
ここで、押し釦１が取り付けられる本体２を基準として、押し釦１が取り付けられる方を前方とし、前方から後方を見ることを正面視とし、後方から前方を見ることを背面視というものとする。また、左右は、正面視における左右をいうものとする。
【００２２】
本体２は、押し釦１が可動となるように取り付けられるものであり、第一実施形態では、図１（ａ）に示すように、送信装置４の押し釦１を除く部分からなるものである。送信装置４は、正面視における外郭形状が矩形状をしたケーシング４０を備える。
【００２３】
ケーシング４０は、図２（ｂ）に示すように、前面部を有する前側ケーシング４１と、後面部を有する後側ケーシング４２と、を備え、前側ケーシング４１と後側ケーシング４２とが合わせられて、筐体が構成される。後側ケーシング４２には、前後に貫通する固着具挿通孔４３が形成され、ビス等の固着具（不図示）により壁面に固定される。
【００２４】
前側ケーシング４１は、前面側の一部に押し釦１が挿入可能なように後方に凹む凹所４４が形成されている。この凹所４４の押し釦１が設けられる部分が、特に本体２として機能する（すなわち、ケーシング４０の押し釦１が設けられない部分は本体２でなくてもよい）。
【００２５】
そして、図２（ｂ）に示すように、ケーシング４０内に、後方に所定以上の力（第一の所定の力以上の力とする）で押されたときにＯＮとなり、前記第一の所定の力以上の力で押されないときにＯＦＦとなる、例えばタクトスイッチのような入力部４５が設けられる。ケーシング４０内には、抵抗素子等の素子やマイクロチップをはじめとする各種電子機器が実装された基板４６が収納されている。この基板４６の前面に入力部４５が設けられており、さらに、駆動指令等の信号を送信する送信部（不図示）と、送信部を制御する制御部（不図示）等が設けられている。
【００２６】
押し釦１には、一部に、連結部１１が設けられるものである。第一実施形態では、図１（ｂ）に示すように、押し釦１の背面の上半部の左右両側に連結部１１が設けられている。第一実施形態における連結部１１は、後方に向けて突出片１１ａが突出し、その後端に前方に凹んで後方に開口し且つ左右に貫通する孔部１１ｂが形成されることで、構成されている。
【００２７】
本体２には、一部に、連結部１１が連結される被連結部２１が設けられるものである。第一実施形態では、図１（ａ）に示すように、本体２の前面の上半部の左右両側の連結部１１に対応する位置に、被連結部２１が設けられている。第一実施形態における被連結部２１は、本体２の前方に突出し、左右を軸方向とする軸部により構成されている。
【００２８】
この左右の被連結部２１の軸部が、それぞれ押し釦１の左右の孔部１１ｂ内に挿入されて、軸部を中心に押し釦１が回転可能に本体２に取り付けられる。これにより、押し釦１の連結部１１の下側の部分が、連結部１１が被連結部２１に連結されたときに本体２に対して動く可動部１０となる。なお、連結部１１が被連結部２１に対して（相対的に）後方に移動し、押し釦１全体が可動部１０となってもよい。
【００２９】
可動部１０には、本体２と対向する部分に押し部１２が設けられるものである。第一実施形態では、図１（ｂ）に示すように、可動部１０の背面の左右方向の中央部に、後方に突出する突出部が形成されており、この突出部により押し部１２が構成されている。
【００３０】
本体２には、押し部１２と対向する部分に押され部２２が設けられるものである。第一実施形態では、図１（ａ）、図２（ｂ）に示すように、本体２となる前側ケーシング４１の凹所４４の押し部１２に対応する部分に、前後に貫通する挿通口４７が形成されている。そして、基板４６の挿通口４７に対応する部分に入力部４５が設けられており、この入力部４５が押され部２２となっている。
【００３１】
そして、可動部１０が後方に所定以上の力（第二の所定の力以上の力とする）で押されたときに押し部１２が押され部２２を押し、第二の所定の力以上の力で押されないときに押し部１２が押され部２２を押さないようにする付勢部３を複数備えるものである。なお、第二の所定の力は、第一の所定の力以上の力である。
【００３２】
具体的には、付勢部３は、可動部１０を本体２から離間する方向に付勢するものである。第一実施形態では、図１（ａ）に示すように、本体２となる前側ケーシング４１の凹所４４の部分の板部の左右両側に一つずつ、付勢部３が形成される部分の周囲にこの周囲の一部を残してこの板部を前後に貫通するスリット４８が形成される。そして、前記板部のスリット４８で囲まれる部分が、板ばね４９が形成され、この板ばね４９が付勢部３となる。板ばね４９は、長手方向における一端が本体２に一体に固定されており、他端側が可動部１０の背面を前方に押すものである。第一実施形態では、図２に示すように、板ばね４９の他端側に前方に突出する突出部３１がさらに設けられ、この突出部３１が可動部１０の背面を直接押す。
【００３３】
第一実施形態では、図１（ａ）に示すように、板ばね４９の長手方向が、押し釦１の端辺と０°より大きく９０°より小さい角度を為している。板ばね４９の長手方向が押し釦１の端辺と為す角度は、好ましくは４０°以上５０°以下で、４５°が最適である。
【００３４】
なお、板ばね４９の長手方向が押し釦１の端辺と為す角度が、０°や９０°（すなわち、いずれかの端辺と平行）となっていてもよい。また、板ばね４９は、正方形状や円形状等、長手方向が定まらない形状であってもよい。
【００３５】
上記の押し釦の取り付け構造にあっては、押し釦１の前面が使用者によって第二の所定の力以上の力で後方に押されると、押し部１２が付勢部３に抗って押され部２２を押し、入力部４５での入力が行われる。押し釦１の前面が使用者によって押されない時には、付勢部３により押し釦１が前方に付勢されて本体２から離間する。
【００３６】
第一実施形態においては、付勢部３が複数設けられているため、付勢部３からの距離が長い部分が生じ難く、がたつきが生じ難くなる。
【００３７】
また、第一実施形態においては、付勢部３の長手方向が押し釦１の端辺と０°より大きく９０°より小さい角度を為している。これにより、板ばね４９の長さを長くとることができ、板ばね４９の付勢力をより精度よく調整することが可能となるものである。また、本体２の前記板部にスリット４８が形成され、このスリット４８で囲まれる部分が切り起こされて板ばね４９が構成されるため、別部材の付勢部が不要で、製造の手間とコストの低減化が図られるものである。
【００３８】
次に、第二実施形態について、図３および図４に基いて説明する。上記第一実施形態では、付勢部３となる板ばね４９が本体２に設けられるのに対し、第二実施形態では、付勢部３となる板ばね５が押し釦１に設けられる点で異なり、他の部分は同じである。
【００３９】
押し釦１の背面には、板部５０が固定される。図３（ｂ）に示すように、板部５０は、押し釦１の正面視における外郭形状と略同じかそれよりも小さい外郭形状を有している。そして、板部５０の背面の上半部の左右両側に連結部１１が設けられている。第二実施形態における連結部１１も第一実施形態と同様に、後方に向けて突出片１１ａが突出し、その後端に前方に凹んで後方に開口し且つ左右に貫通する孔部１１ｂが形成されることで、構成されている。さらに、板部５０の背面の左右方向の中央部に、後方に突出する突出部が形成されており、この突出部により押し部１２が構成されている。
【００４０】
板部５０には、板ばね５が設けられる部分の周囲にこの周囲の一部を残して板部５０を貫通するスリット５１が形成されている。そして、このスリット５１で囲まれる部分が、本体２を押す板ばね５（付勢部３）が構成されている。
【００４１】
板部５０には、端縁（第二実施形態では上下の端辺の左右二箇所）に被保持片５２が外方に向けて突出している。押し釦１の背面の周囲には、後方に突出するリブが形成されており、このリブの被保持片５２に対応する位置に保持片１３が内方に向けて突出している。板部５０の被保持片５２が保持片１３を乗り越えて、図４に示すように、板部５０が押し釦１の背面側に固定される。
【００４２】
第二実施形態においても、付勢部３が複数設けられているため、付勢部３からの距離が長い部分が生じ難く、がたつきが生じ難くなる。
【００４３】
また、第二実施形態においても、付勢部３の長手方向が押し釦１の端辺と０°より大きく９０°より小さい角度を為している。これにより、板ばね５の長さを長くとることができ、板ばね５の付勢力をより精度よく調整することが可能となるものである。
【符号の説明】
【００４４】
１    押し釦
１０  可動部
１１  連結部
１１ａ  突出片
１１ｂ  孔部
１２  押し部
１３  保持片
２    本体
２１  被連結部
２２  押され部
３    付勢部
３１  突出部
４    送信装置
４０  ケーシング
４１  前側ケーシング
４２  後側ケーシング
４３  固着具挿通孔
４４  凹所
４５  入力部
４６  基板
４７  挿通口
４８  スリット
４９  板ばね
５    板ばね
５０  板部
５１  スリット
５２  被保持片
【図１】
2015095415.tif 000003
【図２】
2015095415.tif 000004
【図３】
2015095415.tif 000005
【図４】
2015095415.tif 000006
【図５】
2015095415.tif 000007